(57)【要約】【課題】画像形成されて搬送される記録紙の表裏の同じ場所を同じ搬送位置で同時に１つのラインセンサで読み取ることのできる画像読取装置を提供する。【解決手段】画像読取装置１０は、画像形成された記録紙が搬送される搬送路上の所定箇所に設けた読み取り領域１１に、記録紙の表面側から光を照射する第１光源と、記録紙の裏面側から光を照射する第２光源１３と、画像を光学的に読み取るラインセンサ１４と、第１光源１２から照射され読み取り領域１１で記録紙の表面に反射された光を、ラインセンサ１４の第１受光領域に導く第１光学系と、第２光源１３から照射され読み取り領域１１で記録紙の裏面に反射された光を、ラインセンサ１４の第２受光領域に導く第２光学系とを有し、搬送される記録紙の表裏の同一ラインを読み取り領域１１において表裏同時に光学的に読み取る。【選択図】図５
2015149682.tif 000002
【特許請求の範囲】
【請求項１】
画像形成された記録紙が搬送される搬送路上の所定箇所にあって搬送方向と直交する方向を長手方向とする読み取り領域に、前記記録紙の表面側から光を照射する第１光源と、
前記読み取り領域に、前記記録紙の裏面側から光を照射する第２光源と、
画像を光学的に読み取るラインセンサと、
前記第１光源から照射され前記読み取り領域で前記記録紙の表面に反射された光を、前記ラインセンサの第１受光領域に導く第１光学系と、
前記第２光源から照射され前記読み取り領域で前記記録紙の裏面に反射された光を、前記ラインセンサの第２受光領域に導く第２光学系と、
を有し、
搬送される前記記録紙の表裏の同一ラインを前記読み取り領域において表裏同時に光学的に読み取る
ことを特徴とする画像読取装置。
【請求項２】
前記第１光学系と前記第２光学系は、前記読み取り領域で前記記録紙の表面に反射されてから前記ラインセンサの前記第１受光領域に達するまでの光路長と、前記読み取り領域で前記記録紙の裏面に反射されてから前記ラインセンサの前記第２受光領域に達するまでの光路長が等しくなるように、構成されている
ことを特徴とする請求項１に記載の画像読取装置。
【請求項３】
前記第２光学系は、搬送される前記記録紙の前記搬送方向と直交する方向の両端部分から反射された光のみを前記ラインセンサの前記第２受光領域に導き、
前記第１光学系は、搬送される前記記録紙の前記両端部分およびそれらの間の部分から反射された光を前記ラインセンサの前記第１受光領域に導き、
前記第２受光領域は前記ラインセンサの両端の領域であり、前記第１受光領域は前記第２受光領域の間の領域である
ことを特徴とする請求項１または２に記載の画像読取装置。
【請求項４】
前記ラインセンサは前記記録紙の表面側の空間に配置され、
前記第２光学系は、前記両端部分から反射された光を、搬送される前記記録紙の両脇を通して前記記録紙の表面側に導いた後、前記ラインセンサの前記第２受光領域へ導く
ことを特徴とする請求項３に記載の画像読取装置。
【請求項５】
第１光学系および前記第２光学系は、記録紙からの反射光を前記ラインセンサに集光させる際の倍率を調整するズーム機能を有し、該ズーム機能によって読み取り解像度を第１解像度と第１解像度より低い第２解像度に切り替え可能とし、前記第１解像度のときより前記第２解像度のときに前記両端部分の読み取り範囲を拡張する
ことを特徴とする請求項３または４に記載の画像読取装置。
【請求項６】
前記読み取り領域のうちの第１の範囲が前記記録紙の表面側の読み取り範囲であり、
前記読み取り領域のうちの第２の範囲が前記記録紙の裏面側の読み取り範囲であり、
前記第１光源は、前記第１の範囲に対応した照射幅を有し、
前記第２光源は、前記第２の範囲に対応した照射幅を有する
ことを特徴とする請求項１乃至５のいずれか１つに記載の画像読取装置。
【発明の詳細な説明】
【技術分野】
【０００１】
本発明は、画像形成されて搬送される記録紙の表裏を１つのラインセンサで読み取る画像読取装置に関する。
【背景技術】
【０００２】
記録紙の両面を読み取る場合に、表面用のラインセンサと裏面用のラインセンサを別々に設けると、コスト高に繋がるだけでなく、両ラインセンサの特性の違いによる読み取りのばらつきも生じる。そこで、１つのラインセンサで記録紙の両面を読み取る読み取り装置が提案されている。
【０００３】
たとえば、下記特許文献１には、第１光源に照射された転写紙の第１面の光学情報を通過させる第１光路と、第１光源に対して搬送方向に異なる位置に配置された第２光源に照射された転写紙の第２面の光学情報を通過させる第２光路と、第１光路の光学情報と第２光路の光学情報とを通過させる第３光路と、第３光路を通過した光学情報を読み取るラインセンサと、第１光源と第２光源とを異なるタイミングで発光させる制御部とを備え、転写紙の第１面に描かれたパッチ等が第１光源に照射される箇所を通過するタイミングで第１光源を発光させて転写紙の第１面を読み取り、転写紙の第２面に描かれたパッチ等が第２光源に照射される箇所を通過タイミングで第２光源を発光させて転写紙の第２面を読み取る装置が開示されている。
【０００４】
この装置では、第１光源と第２光源を異なるタイミングで発光させることで光路における両者の干渉を防ぎ、１つのラインセンサの同じ領域で転写紙の表面と裏面を読み取っている。
【先行技術文献】
【特許文献】
【０００５】
【特許文献１】特開２０１３−０８００５８号公報
【発明の概要】
【発明が解決しようとする課題】
【０００６】
特許文献１に開示の装置では、転写紙の表裏を搬送中の異なるタイミングで読み取るので、転写紙の表裏の同じ場所を搬送路上の異なる搬送位置で読み取ることになる。そのため、表面を読み取ったときと裏面を読み取ったときとで、搬送のずれや揺らぎなどの出方が相違し、表裏の同じ場所を同じ条件で読み取ることは難しい。
【０００７】
たとえば、記録紙の表裏の同じ場所に同じパッチやトンボを印刷し、これを読み取って表裏で比較等することによって、表裏での画像の位置ズレや色ズレを検出し、以後の印刷にフィードバックするようなシステムにおいては、表裏の読み取り条件を一致させるために、記録紙の表裏の同じ場所を同じ搬送位置で同時に１つのラインセンサで読み取ることが望ましいが、特許文献１に開示の装置では、この要求は充足されない。
【０００８】
本発明は、上記の問題を解決しようとするものであり、画像形成されて搬送される記録紙の表裏の同じ場所を同じ搬送位置で同時に１つのラインセンサで読み取ることのできる画像読取装置を提供することを目的としている。
【課題を解決するための手段】
【０００９】
かかる目的を達成するための本発明の要旨とするところは、次の各項の発明に存する。
【００１０】
［１］画像形成された記録紙が搬送される搬送路上の所定箇所にあって搬送方向と直交する方向を長手方向とする読み取り領域に、前記記録紙の表面側から光を照射する第１光源と、
前記読み取り領域に、前記記録紙の裏面側から光を照射する第２光源と、
画像を光学的に読み取るラインセンサと、
前記第１光源から照射され前記読み取り領域で前記記録紙の表面に反射された光を、前記ラインセンサの第１受光領域に導く第１光学系と、
前記第２光源から照射され前記読み取り領域で前記記録紙の裏面に反射された光を、前記ラインセンサの第２受光領域に導く第２光学系と、
を有し、
搬送される前記記録紙の同一ラインを前記読み取り領域において表裏同時に光学的に読み取る
ことを特徴とする画像読取装置。
【００１１】
上記発明では、搬送される記録紙の表裏の同一ラインを読み取り領域において表裏同時に光学的に読み取ることができる。
【００１２】
［２］前記第１光学系と前記第２光学系は、前記読み取り領域で前記記録紙の表面に反射されてから前記ラインセンサの前記第１受光領域に達するまでの光路長と、前記読み取り領域で前記記録紙の裏面に反射されてから前記ラインセンサの前記第２受光領域に達するまでの光路長が等しくなるように、構成されている
ことを特徴とする［１］に記載の画像読取装置。
【００１３】
［３］前記第２光学系は、搬送される前記記録紙の前記搬送方向と直交する方向の両端部分から反射された光のみを前記ラインセンサの前記第２受光領域に導き、
前記第１光学系は、搬送される前記記録紙の前記両端部分およびそれらの間の部分から反射された光を前記ラインセンサの前記第１受光領域に導き、
前記第２受光領域は前記ラインセンサの両端の領域であり、前記第１受光領域は前記第２受光領域の間の領域である
ことを特徴とする［１］または［２］に記載の画像読取装置。
【００１４】
上記発明では、記録紙の表面については幅方向（搬送方向と直交する方向）全体の１ラインをラインセンサの中央の領域で読み取り、記録紙の裏面については幅方向の両端部分のみをラインセンサの両端の領域で読み取る。
【００１５】
［４］前記ラインセンサは前記記録紙の表面側の空間に配置され、
前記第２光学系は、前記両端部分から反射された光を、搬送される前記記録紙の両脇を通して前記記録紙の表面側に導いた後、前記ラインセンサの前記第２受光領域へ導く
ことを特徴とする［３］に記載の画像読取装置。
【００１６】
上記発明では、記録紙の裏面で反射された光を、記録紙の脇を通過させて記録紙の表面側の空間に導くので、短い光路で記録紙を迂回することができる。
【００１７】
［５］第１光学系および前記第２光学系は、記録紙からの反射光を前記ラインセンサに集光させる際の倍率を調整するズーム機能を有し、該ズーム機能によって読み取り解像度を第１解像度と第１解像度より低い第２解像度に切り替え可能とし、前記第１解像度のときより前記第２解像度のときに前記両端部分の読み取り範囲を拡張する
ことを特徴とする［３］または［４］に記載の画像読取装置。
【００１８】
上記発明では、読み取り解像度の変更により、両端部分の読み取り範囲を拡張することができる。
【００１９】
［６］前記読み取り領域のうちの第１の範囲が前記記録紙の表面側の読み取り範囲であり、
前記読み取り領域のうちの第２の範囲が前記記録紙の裏面側の読み取り範囲であり、
前記第１光源は、前記第１の範囲に対応した照射幅を有し、
前記第２光源は、前記第２の範囲に対応した照射幅を有する
ことを特徴とする［１］乃至［５］のいずれか１つに記載の画像読取装置。
【００２０】
上記発明では、表裏それぞれの読み取り範囲に対応した範囲に光が照射されて、無駄な照射がない。
【発明の効果】
【００２１】
本発明に係る画像読取装置によれば、画像形成されて搬送される記録紙の表裏の同じ場所を同じ搬送位置で同時に１つのラインセンサで読み取ることができる。
【図面の簡単な説明】
【００２２】
【図１】本発明の実施の形態に係る画像形成システムの基本的構成を示す図である。
【図２】テストパターンが印刷された記録紙の一例を示す図である。
【図３】画像読取装置が有する、記録紙の表面を読み取るための読み取り経路を示す図である。
【図４】画像読取装置が有する、記録紙の裏面を読み取るための読み取り経路を示す図である。
【図５】画像読取装置１０が有する、表裏両面の読み取り経路を合わせて示す図である。
【図６】画像読取装置の第１光路、第２光路、第３光路が同一の光路長であることを示す説明図である。
【図７】ミラー２４、２５、ミラー２７、２８で反射される部分の光路を搬送方向上流側からみた様子を示す図である。
【図８】解像度６００ｄｐｉで読み取る場合の第１受光領域と第２受光領域の割り当て例を示す図である。
【図９】解像度４００ｄｐｉで読み取る場合の第１受光領域と第２受光領域の割り当て例を示す図である。
【図１０】読み取り解像度を変更可能な倍率調整機構の一例を示す図である。
【発明を実施するための形態】
【００２３】
以下、図面に基づき本発明の実施の形態を説明する。
【００２４】
図１は、本発明の実施の形態に係る画像形成システム３の基本的構成を示している。画像形成システム３は、記録紙を搬送する搬送部５と、搬送部５によって搬送される記録紙に画像を印刷する画像形成部７と、画像形成部７の下流の搬送路上で記録紙の表裏を同時に光学的に読み取る画像読取装置１０と、当該画像形成システム３の動作を統括的に制御する制御部８を備えている。
【００２５】
ここでは、画像形成部７は、電子写真プロセスによって画像形成を行う、所謂、両面印刷に対応したタンデム型のカラーのレーザプリンタとして構成されている。
【００２６】
制御部８は、画像形成部７で記録紙に画像を印刷する際に記録紙の幅方向の両端の表裏にテストパターン（パッチやトンボなど）を印刷させ、この記録紙の表裏を、画像形成部７の下流の搬送路上に配置した画像読取装置１０で直ちに読み取り、その読み取り結果から画像の位置ずれや色味などを補正するための補正データを作成し、これを次回以後の印刷にフィードバックするように制御する。なお、搬送方向を副走査方向、搬送方向と直交する方向を主走査方向（または、記録紙の幅方向）と呼ぶものとする。
【００２７】
詳細には、画像形成部７によって記録紙の表裏に形成されたテストパターンを下流の画像読取装置１０で読み取ることによって、画像の位置、濃度バランス、エッジ濃度、線幅、最大濃度などの各項目について評価して、表裏でこれらが一致するように補正データを作成し、画像信号処理、プロセス制御（露光、帯電、現像などの制御）、用紙搬送制御などにフィードバックする。
【００２８】
制御部８は、ＣＰＵ（Central Processing Unit）、ＲＯＭ（Read Only Memory）、ＲＡＭ（Random Access Memory）などを主要部とする回路で構成されている。ＣＰＵが、ＲＯＭ等に格納されたプログラムに従って処理を進めることで画像形成システム３の各種の機能を実現するための制御が行われる。
【００２９】
図２は、画像形成部７にて印刷された記録紙５０の一例を示している。記録紙５０は、ユーザが任意の画像を記録可能なユーザ領域５１より一回り大きいサイズの用紙である。たとえば、記録紙５０には、Ａ４ワイド紙が使用される。ユーザ領域５１には、ユーザの指定した画像が印刷される。ユーザ領域５１の外側であって記録紙５０の幅方向の両端部には、テストパターンが印刷される。
【００３０】
本例のテストパターンはトンボ５２とパッチ５３で構成されている。トンボ５２は、画像の位置検出に使用される十字型のマークであり、記録紙５０の四隅近傍にそれぞれ印刷される。また、記録紙５０の搬送方向に垂直な方向（以後、幅方向とする）の両端部に、色合わせ用の複数のパッチ５３が搬送方向に並べて記録されている。たとえば、シアン、マゼンタ、イエロ、ブラックの各色について濃度を変化させたグラデーションのパッチが記録される。
【００３１】
記録紙５０には、表面と裏面の同じ位置に同一のテストパターンが印刷される。なお、図２に示すテストパターンは一例であり、これに限定されるものではない。なお、記録紙５０のいずれを表面とするかは任意にすればよい。
【００３２】
図３は画像読取装置１０のうち、記録紙５０の表面を読み取るための読み取り経路を示す。図４は画像読取装置１０のうち、記録紙５０の裏面を読み取るための読み取り経路を示す。図５は画像読取装置１０が有する表裏両面の読み取り経路を合わせて示す。
【００３３】
画像読取装置１０は、画像形成部７において画像形成された記録紙５０が搬送される搬送路上の所定箇所に、搬送方向に直交する方向を長手方向とする読み取り領域１１が設定してある。画像読取装置１０は、読み取り領域１１に記録紙５０の表面側から光を照射する第１光源１２と、読み取り領域１１に記録紙５０の裏面側から光を照射する第２光源１３と、主走査方向１ライン分の画像を光学的に読み取るラインセンサ１４と、第１光源１２から照射され、読み取り領域１１で記録紙５０の表面に反射された光を、ラインセンサ１４の第１受光領域１５に導く第１光学系と、第２光源１３から照射され、読み取り領域１１で記録紙５０の裏面に反射された光を、ラインセンサ１４の第２受光領域１６（１６ａ、１６ｂ）に導く第２光学系とを有している。
【００３４】
画像読取装置１０は、記録紙５０の表面については、記録紙５０の全幅を読み取り範囲とし、記録紙の裏面については、記録紙５０の幅方向の両端部分（トンボ５２やパッチ５３の印刷された領域を含む）のみを読み取り範囲としている。
【００３５】
読み取り領域１１のうちの第１の範囲を記録紙５０の表面の読み取り範囲とする場合、第１光源１２は、その第１の範囲に対応した照射幅を有する。ここでは、記録紙５０の表面については記録紙５０の全幅を読み取り範囲とするので、第１光源１２は、記録紙５０の全幅に対応する照射幅を備えており、読み取り領域１１において記録紙５０の表面側から記録紙５０の全幅に光を照射する。
【００３６】
第１光学系は、記録紙の幅方向に細長いミラー２１、２２、２３で構成される。これらのミラー２１〜２３はすべて、記録紙５０の全幅以上の長さを備えている。第１光学系は、第１光源１２から照射され読み取り領域１１において記録紙５０の表面の全幅で反射された光を、該反射箇所からラインセンサ１４の中央部の第１受光領域１５に導く第１光路を形成する。
【００３７】
詳細には、ミラー２１は、記録紙５０の表面で、記録紙５０の表面に対して垂直な方向（図中は下方）に反射された光を、記録紙５０と平行であって搬送方向下流へ向かうように反射する。ミラー２２は、ミラー２１から到来する光を記録紙５０の表面に垂直で記録紙５０から離れる方向（図中、下方）に反射する。ミラー２３は、ミラー２２から到来する光を記録紙５０と平行であって搬送方向上流側へ向かうように反射する。ミラー２３で反射された光は、ハーフミラー２６の中央部を通過して、ラインセンサ１４の中央部の第１受光領域１５に到達する。
【００３８】
読み取り領域１１のうちの第２の範囲を記録紙５０の裏面の読み取り範囲とする場合、第２光源１３は、その第２の範囲に対応した照射幅を有する。ここでは、記録紙５０の裏面については、記録紙５０の裏面の幅方向の一方の端部と他方の端部を読み取り範囲とする。そのため、第２光源１３は、記録紙５０の裏面の幅方向の一方の端部に対応した照射幅を備えて、記録紙５０の裏面の幅方向の一方の端部に光を照射する光源１３ａと、記録紙５０の裏面の幅方向の他方の端部に対応した照射幅を備えて、記録紙５０の裏面の幅方向の他方の端部に光を照射する光源１３ｂで構成される。
【００３９】
第２光学系は、光源１３ａから照射されて記録紙５０の裏面の幅方向の一方の端部で反射された光を、該反射箇所からラインセンサ１４の一方の端部の受光領域１６ａに導く第２光路と、光源１３ｂから照射されて記録紙５０の裏面の幅方向の他方の端部で反射された光を、該反射箇所からラインセンサ１４の他方の端部に導く第３光路を形成する。
【００４０】
第２光学系は、第２光路を形成するためのミラー２４、ミラー２５、ハーフミラー２６と、第３光路を形成するためのミラー２７、ミラー２８、ハーフミラー２６で構成される。ハーフミラー２６の一方の端部近傍部分は第２光路に、他方の端部近傍部分は第３光路に使用される。１つのハーフミラー２６で第２光路と第３光路の光を反射することで、別々にミラーを設ける場合に比べて、反射角度を合わせる作業が容易になる。
【００４１】
第２光学系のミラー２４は、記録紙５０の裏面の一方の端部で、記録紙５０の裏面に対して垂直な方向（図中、上方）に反射された光を記録紙５０の該一方の端部の外側の側方へ反射する。ミラー２５は、ミラー２４から到来する光を記録紙５０の裏面に垂直で記録紙５０の裏面に向かう方向（図中、下方）に反射する。ミラー２５で反射された光は記録紙５０の脇（側方）を通って記録紙５０の表面側の空間に至り、ハーフミラー２６の一方の端部近傍部分において、記録紙５０と平行であって搬送方向上流へ向かうように反射された後、ラインセンサ１４の一方の端部の受光領域１６ａに到達する。
【００４２】
同様に、第２光学系のミラー２７は、記録紙５０の裏面の他方の端部で、記録紙５０の裏面に対して垂直な方向（図中、上方）に反射された光を記録紙５０の該他方の端部の外側の側方へ反射する。ミラー２８は、ミラー２７から到来する光を記録紙５０の裏面に垂直で記録紙５０の裏面に向かう方向（図中、下方）に反射する。ミラー２７で反射された光は記録紙５０の脇（側方）を通って記録紙５０の表面側の空間に至り、ハーフミラー２６の他方の端部近傍部分において、記録紙５０と平行であって搬送方向上流へ向かうように反射された後、ラインセンサ１４の他方の端部の受光領域１６ｂに到達する。
【００４３】
なお、第１光路において、ミラー２３に反射されてラインセンサ１４の第１受光領域１５に向かう光は、ハーフミラー２６の中央部分を通過する。ミラー２３に反射されてラインセンサ１４に向かう第１光路の光と、ハーフミラー２６の一方の端部近傍部分で反射されてラインセンサ１４の受光領域１６ａに向かう第２光路の光と、ハーフミラー２６の他方の端部近傍部分で反射されてラインセンサ１４の受光領域１６ｂに向かう第３光路の光は、互いに、同一平面上にあって平行な光となっている。
【００４４】
第２光路、第３光路において、記録紙５０の幅方向の脇を通して光を記録紙５０の表面側へ導くので、記録紙５０の裏面で反射された光を記録紙の上流あるいは下流で記録紙５０の表面側の空間に導くように光路を形成する場合に比べて、光路を短くすることができる。すなわち、上流または下流で記録紙５０を迂回させる場合、読み取り中に搬送される搬送距離以上に離れた場所まで迂回させる必要が生じるので、光路がその分、長くなってしまうが、本発明の画像読取装置１０は、幅方向の脇を通過させるので、光路を短くすることができる。また、記録紙５０の幅方向の脇を通過させるので、迂回させるために用紙の搬送間隔を広げる必要がなく、印刷の生産性を高めることができる。
【００４５】
このような構成の画像読取装置１０では、搬送される記録紙５０の表裏の同一ライン（表面は全幅と裏面は両端部）を、読み取り領域１１において１つのラインセンサ１４で同時に光学的に読み取ることができる。
【００４６】
なお、画像読取装置１０では、第１光路、第２光路、第３光路の光路長が同一になるように光学系を設けてある。
【００４７】
図６、図７は、画像読取装置１０において、第１光路、第２光路、第３光路が同一の光路長になっていることを示す図である。図６は、画像読取装置１０の光路を記録紙５０の幅方向の一方側から見た様子を、図７は、ミラー２４から２８で反射される部分の光路を搬送方向上流側からみた様子を示している。
【００４８】
第１光路（記録紙５０の表面で反射されてからラインセンサ１４の第１受光領域１５に至るまでの光路）において、記録紙５０の表面からミラー２１までの光路長はａ、ミラー２１からミラー２２までの光路長はａ＋（ｂ／２）、ミラー２２からミラー２３までの光路長はｃ、ミラー２３からハーフミラー２６までの光路長はａ＋（ｂ／２）、ハーフミラー２６からラインセンサ１４までの光路長はｄにされている。
【００４９】
第２光路（記録紙５０の裏面の一方の端部で反射されてからラインセンサ１４の受光領域１６ａに至るまでの光路）において、記録紙５０の裏面からミラー２４までの光路長はａ、ミラー２４からミラー２５までの光路長はｂ、ミラー２５からハーフミラー２６までの光路長は２ａ＋ｃ、ハーフミラー２６からラインセンサ１４までの光路長はｄにされている。
【００５０】
第３光路（記録紙５０の裏面の他方の端部で反射されてからラインセンサ１４の受光領域１６ｂに至るまでの光路）において、記録紙５０の裏面からミラー２７までの光路長はａ、ミラー２７からミラー２８までの光路長はｂ、ミラー２８からハーフミラー２６までの光路長は２ａ＋ｃ、ハーフミラー２６からラインセンサ１４までの光路長はｄにされている。
【００５１】
したがって、第１光路の光路長Ｌ１、第２光路の光路長Ｌ２、第３光路の光路長Ｌ３、はそれぞれ以下のように同一の光路長になる。
【００５２】
Ｌ１＝ａ＋ａ＋（ｂ／２）＋ｃ＋（ｂ／２）＋ｄ＝３ａ＋ｂ＋ｃ＋ｄ
Ｌ２＝ａ＋ｂ＋ａ＋（ａ＋ｃ）＋ｄ＝３ａ＋ｂ＋ｃ＋ｄ
Ｌ３＝ａ＋ｂ＋ａ＋（ａ＋ｃ）＋ｄ＝３ａ＋ｂ＋ｃ＋ｄ
なお、ミラー２４、ミラー２５、ミラー２７、ミラー２８はそれぞれ光の入射角が４５度になっており、どの部分で反射されても光路長は同一となる。たとえば、図７では、２ａ１＋Ｘ＝２ａ２＋Ｙ＝２ａ＋ｂの関係にある。
【００５３】
次に、画像形成システム３の動作を説明する。
【００５４】
画像形成システム３の制御部８は、画像形成部７で両面印刷する際に、記録紙５０の表面および裏面のそれぞれにおいて、ユーザ領域５１にはユーザから指定された画像データに対応する画像を印刷し、その外側の幅方向の両端近傍部分にはテストパターン（トンボ５２、パッチ５３）を印刷する。そして、両面の印刷が完了した記録紙５０を画像形成部７の下流の画像読取装置１０で表裏同時に読み取る。
【００５５】
詳細には、搬送経路上の所定箇所に設定した読み取り領域１１を記録紙５０が通過する際に、その読み取り領域１１にある記録紙５０の表裏の同一ライン（表裏で同一の副走査方向位置にある主走査方向のライン）を同時に読み取る。ここでは、表面は記録紙５０の幅全体の１ラインを、裏面はこのラインに対応する裏面側の１ラインの両端部分を１つのラインセンサ１４で同時に読み取る動作を、繰り返し行う。
【００５６】
そして、記録紙５０の表面のトンボ５２、パッチ５３を読み取った画像と、記録紙の裏面のトンボ５２、パッチ５３を読み取った画像を対比し、画像の位置ずれや色味などを補正するための補正データを作成する。そして、この補正データを次回以後の印刷にフィードバックする。詳細には、画像（トンボ５２など）の位置、濃度バランス、エッジ濃度、線幅、最大濃度などの各項目について評価して、表裏でこれらが一致するように補正データを作成する。
【００５７】
画像読取装置１０は、搬送経路上の同じ位置（読み取り領域１１）で記録紙５０の表裏の同一ラインを同時に読み取るので、搬送上の歪みなどの影響を受けることなく表裏のトンボ５２の位置やパッチ５３の色味などを比較することができる。
【００５８】
画像読取装置１０では、同じ読み取り位置で同時に表裏のトンボ５２やパッチ５３を読み取るので、表裏の読み取り画像（たとえば、トンボ５２）に位置ずれがあれば、記録紙５０上で本当に位置ずれしていると判定することができる。従来のように、表裏のトンボ５２等を異なる読み取り位置で読み取った場合、表面の読み取り位置から裏面の読み取り位置に至るまでの搬送中に生じる傾斜やゆらぎといった搬送上の歪みの影響を受けるため、記録紙５０上での画像の位置ズレのみを正確に検出できない。色ずれの場合も、表裏の読み取り位置が違うために表裏で測定条件が不一致になり、記録紙上の画像の色や濃度を表裏で正確に比較できなくなる。その結果、正しい補正データを作成できず、補正の精度が低下してしまう。
【００５９】
本発明の実施の形態に係る画像読取装置１０では、記録紙５０の表裏の同じ場所を同じ読み取り位置で同時に読み取るので、同じ条件で表裏の同じラインを読み取ることができる。その結果、正確な補正データを作成でき、表裏の位置ずれや色ずれのない高精度の両面印刷を実現することができる。
【００６０】
また、表裏の同じラインを１つのラインセンサ１４で同時に読み取るので、個体差や環境条件の違いによるラインセンサ１４の読み取り特性のばらつきを抑えることができる。特に、ＣＣＤ（Charge Coupled Device）ラインセンサは温度の影響で感度や特性が変化しやすい。表裏別々のＣＣＤラインセンサで読み取る場合、ラインセンサの設置環境の違いから両者に温度の差が生じて感度や特性が不揃いになりやすいが、本発明の実施の形態に係る画像読取装置１０では、そのような問題は生じない。
【００６１】
また、１つのラインセンサ１４で記録紙５０の表裏両面の同じラインを同時に読み取れば、ラインセンサ１４から出力されるひと纏まり（ラインセンサの１ライン分）の画像データの中に表裏両面の同一ラインの画像データが含まれるので、その後に行う画像解析など、後段の処理も容易になる。
【００６２】
なお、図１に示す画像形成システム３では、記録紙５０の表面については、画像読取装置１０にて記録紙５０の幅方向の全体を読み取るので、ユーザ領域５１に印刷された画像の検査も同時に行うことができる。記録紙５０の裏面のユーザ領域５１に印刷された画像についても検査を行う場合には、記録紙５０の表裏を反転させる機構を設け、表裏反転後に再度、画像読取装置１０で読み取るようにすればよい。なお、ユーザ領域５１の画像については、表裏での一致性を確認する必要はないので、表裏別々のタイミングで読み取っても問題はない。
【００６３】
次に、記録紙５０の裏面の読み取り幅について説明する。
【００６４】
Ａ４用紙（主走査方向の幅：２９７ｍｍ）の片面を解像度６００ｄｐｉで読み取る場合、必要画素数は６９５０画素となる。したがって、有効画素７５００画素の一般的なラインセンサを使用してＡ４用紙を６００ｄｐｉで読み取ると、５５０画素が余剰になる。
【００６５】
図８は、有効画素数７５００画素のラインセンサの中央部分でＡ４用紙の表面の幅方向全体を読み取り、両端の余剰の画素でその用紙の裏面の幅方向の両端部分を同時に読み取る場合の第１受光領域１５と第２受光領域１６（１６ａ、１６ｂ）の割り当て状態を示している。受光領域１６ａ、１６ｂに余剰の５５０画素の半分の２７５画素ずつを割り当てれば、解像度６００ｄｐｉの場合、有効画素７５００画素のラインセンサにより、用紙表面の幅方向１ライン（２９７ｍｍ）と用紙裏面の幅方向の両端１１．５ｍｍずつの画像を同時に読み取ることができる。
【００６６】
図２に示した記録紙５０は、主走査方向の幅３２０ｍｍのＳＲＡ４用紙（Ａ４ワイド紙）である。画像形成システム３では、図２に示した記録紙５０の幅方向の両端近傍部分に印字されたトンボ５２やパッチ５３を画像読取装置１０で読み取った後、ユーザ領域５１の部分を残すようにＡ４サイズに裁断して排出するようになっている。また、画像形成システム３では、記録紙５０内のトンボ５２の大まかな位置を用紙のエッジを基準にして検出するので、用紙のエッジを画像読取装置１０で読み取る必要がある。
【００６７】
そのため、画像読取装置１０は、ＳＲＡ４の用紙幅（３２０ｍｍ）よりもさらに数ｍｍ（ここでは左右それぞれ６ｍｍずつとする）広く読み取る必要がある。仮に、３３２ｍｍを読み取る場合、６００ｄｐｉでは約７８４０画素が必要になり、有効画素数７５００画素のラインセンサでは読み取れない。
【００６８】
さらに、コピー機などでは、用紙のサイズは様々であり、より大きいサイズの用紙が画像読取装置１０に搬送されるケースも想定され、その場合には、さらに必要画素数が増加する。
【００６９】
このような事態に対応するために、画像読取装置１０に、ラインセンサ１４での読み取り解像度を変更可能な機構を設けることが望ましい。
【００７０】
図９は、有効画素数７５００画素のラインセンサを使用してＳＲＡ４の記録紙５０を解像度４００ｄｐｉで読み取った場合の第１受光領域１５と第２受光領域１６（１６ａ、１６ｂ）の割り当て状態例を示している。３３２ｍｍ（ＳＲＡ４の用紙幅３２０＋両端６ｍｍずつ）を解像度４００ｄｐｉで読み取ると約５２３０画素が必要になるので、余剰画素は２２７０画素になる。したがって、解像度を４００ｄｐｉにすると、有効画素７５００画素のラインセンサにより、記録紙５０の表面の幅方向全体の１ラインと記録紙５０の裏面の幅方向の両端７２ｍｍずつの画像を同時に読み取ることができる。
【００７１】
図１０は、読み取り解像度を変更する倍率調整機構の一例を示している。この例では、倍率調整機構は、ハーフミラー２６からラインセンサ１４へ至る光路の途中に設けた、集光レンズユニット６０とその移動機構（図示省略）で構成されて、ズーム機能を果たす。図１０（ａ）はハーフミラー２６からラインセンサ１４までの光路を側方から見た図であり、図１０（ｂ）は、集光レンズユニット６０からラインセンサ１４までの光路を上から見た図である。
【００７２】
複数枚のレンズを組み合わせて構成された集光レンズユニット６０を移動機構で移動させて、集光レンズユニット６０とラインセンサ１４との間の距離を増減させることで、記録紙５０からの反射光による画像がラインセンサ１４上に結像したときの大きさ（倍率）、すなわち、読み取り解像度、を変更することができる。
【００７３】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７４】
たとえば、ハーフミラー２６は、第２光路、第３光路の光は反射し、第１光路の光は通過するように構成されればよく、たとえば、第１光路の部分に穴を有するミラーなどでもよし、第２光路用と第３光路用に別々のミラーを設けてもよい。
【００７５】
実施の形態では、画像読取装置１０は、記録紙５０の表面については幅方向の全体を読み取り、裏面については幅方向の両端近傍部分のみを読み取るようにしたが、表面と裏面の読み取り範囲については任意に設定すればよい。たとえば、裏面についても幅方向の全体を読み取るようにしてもよい。
【００７６】
実施の形態では、光路の形成にミラーを用いたが、たとえば、ミラー２４、ミラー２５の代わりにプリズムを使用してもよい。また、実施の形態で示した第１光路、第２光路、第３光路は一例であり、記録紙５０の表面からの反射光と裏面からの反射光をそれぞれラインセンサ１４の異なる受光領域に導くための光路は、実施の形態に例示したものに限定されない。
【００７７】
実施の形態では、第２光源１３を光源１３ａと光源１３ｂに分けて設けたが、これらの照射範囲をカバーできる１つの光源として構成されてもよい。
【符号の説明】
【００７８】
３…画像形成システム
５…搬送部
７…画像形成部
８…制御部
１０…画像読取装置
１１…読み取り領域
１２…第１光源
１３、１３ａ、１３ｂ…第２光源
１４…ラインセンサ
１５…第１受光領域
１６、１６ａ、１６ｂ…第２受光領域
２１〜２５、２７、２８…ミラー
２６…ハーフミラー
５０…記録紙
５１…ユーザ領域
５２…トンボ
５３…パッチ
６０…集光レンズユニット
【図１】
2015149682.tif 000003
【図３】
2015149682.tif 000004
【図４】
2015149682.tif 000005
【図５】
2015149682.tif 000006
【図６】
2015149682.tif 000007
【図７】
2015149682.tif 000008
【図８】
2015149682.tif 000009
【図９】
2015149682.tif 000010
【図１０】
2015149682.tif 000011
【図２】
2015149682.tif 000012